(57)【要約】  バイアス電圧回路においてより少ない電力しか浪費しないことによって電力効率を改善したオーディオ増幅器システム。増幅器が、音声信号をラウドスピーカの第１の（＋）入力に供給し、高効率コンバータが、バイアス電圧をラウドスピーカの第２の（−）入力に供給する。複数のラウドスピーカ・システムでは、単一の高効率コンバータが、共通ノードにおいてすべてのラウドスピーカをバイアスすることが可能である。高効率コンバータは、チャージ・ポンプ、又はバック・コンバータなどであることが可能であり、９０％より大きな効率性を有する。
2009530998.tif 000002
【特許請求の範囲】
【請求項１】
信号ソース、少なくとも一対の電力レール、負荷と共に使用する増幅器システムであって、前記負荷は第１の信号入力と第２の信号入力とを有し、
前記電力レールのそれぞれの対に結合するための少なくとも一対の電力入力と、
前記信号ソースに結合するための第１の信号入力と、
第２の信号入力と、
前記負荷の前記第１の信号入力に結合するための出力と、
を有する第１の増幅器を備え、かつ
前記電力レールのそれぞれの対に結合するための少なくとも一対の電力入力と、
前記負荷の前記第２の信号入力に結合するためのバイアス電圧出力と、
前記電力入力に、及び前記負荷の前記第２の信号入力においてバイアス電圧を生成するための前記バイアス電圧出力に結合された回路と
を有する高効率コンバータを備える増幅器システム。
【請求項２】
前記高効率コンバータが、
チャージ・ポンプを備える請求項１に記載の増幅器システム。
【請求項３】
前記チャージ・ポンプが、
フライング・コンデンサと、
前記フライング・コンデンサに結合され、少なくとも４つのスイッチを有するスイッチ機構であって、前記スイッチのうちの２つが前記高効率コンバータの前記電力入力に結合されている、スイッチ機構と、
を備える請求項２に記載の増幅器システム。
【請求項４】
前記負荷が第１の電子音響変換器であり、
前記第１の増幅器が第１のオーディオ増幅器を備える請求項１に記載の増幅器システム。
【請求項５】
さらに第２の電子音響変換器と使用するために
前記電力レールのそれぞれの対に結合するための少なくとも一対の電力入力と、
前記信号ソースに結合するための第１の信号入力と、
第２の信号入力と、
前記第２の電子音響変換器の第１の信号入力に結合するための出力と、
を有する第２の増幅器をさらに備え、
前記高効率コンバータの前記バイアス電圧出力が、さらに前記第２の電子音響変換器の第２の信号入力に結合される請求項４に記載の増幅器システム。
【請求項６】
前記負荷から前記増幅器に結合されたフィードバック・ネットワークをさらに含む請求項１に記載の増幅器システム。
【請求項７】
前記高効率コンバータが８０％より大きい効率性を有する請求項１に記載の増幅器システム。
【請求項８】
前記高効率コンバータが９０％より大きい効率性を有する請求項１に記載の増幅器システム。
【請求項９】
前記高効率コンバータが９５％より大きい効率性を有する請求項１に記載の増幅器システム。
【請求項１０】
ソース、左ラウドスピーカ、及び右ラウドスピーカと使用するためのステレオ・オーディオ増幅器システムであって、
（１）前記ソースから左チャンネル・オーディオ入力信号を受け取るために結合するための左チャンネル・オーディオ信号入力と、
前記入力された左チャンネル・オーディオ入力信号を増幅するための左増幅器回路と、
前記左ラウドスピーカの第１の入力に前記増幅された左チャンネル・オーディオ入力信号を供給するために結合するための左チャンネル出力と、
を有する左チャンネル・オーディオ増幅器、
（２）前記ソースから右チャンネル・オーディオ入力信号を受け取るために結合するための右チャンネル・オーディオ信号入力と、
前記入力された右チャンネル・オーディオ入力信号を増幅するための右増幅器回路と、
前記右ラウドスピーカの第１の入力に前記増幅された右チャンネル・オーディオ入力信号を供給するために結合するための右チャンネル出力と、
を有する右チャンネル・オーディオ増幅器、
（３）前記ラウドスピーカのうちの少なくとも一方の第２の入力に結合するためのバイアス出力と、
バイアス電圧において前記バイアス電圧を生成するための回路と、を含み、少なくとも８０％の効率である高効率コンバータ
を備える増幅器システム。
【請求項１１】
前記バイアス出力が、さらに前記ラウドスピーカのそれぞれの第２の入力に結合するためであり、それにより、両方のラウドスピーカが単一の高効率コンバータによってバイアスされる請求項１１に記載の増幅器システム。
【請求項１２】
前記高効率コンバータが、チャージ・ポンプを備える請求項１０に記載の増幅器システム。
【請求項１３】
前記高効率コンバータの前記バイアス出力が、前記左ラウドスピーカの第２の入力に結合され、
前記右ラウドスピーカの第２の入力に結合するためのバイアス出力と、
第２の高効率コンバータの前記バイアス出力においてバイアス電圧を生成するための回路と、を含み、少なくとも８０％の効率である第２の高効率コンバータをさらに備える請求項１０に記載の増幅器システム。
【請求項１４】
前記高効率コンバータのそれぞれが、少なくとも９０％の効率である請求項１３に記載の増幅器システム。
【請求項１５】
前記高効率コンバータのそれぞれがチャージ・ポンプを備える請求項１３に記載の増幅器システム。
【請求項１６】
前記高効率コンバータが、少なくとも９０％の効率である請求項１０に記載の増幅器システム。
【請求項１７】
前記左チャンネル・オーディオ増幅器に結合された左フィードバック・ネットワークと、
前記右チャンネル・オーディオ増幅器に結合された右フィードバック・ネットワークと、
をさらに備える請求項１０に記載の増幅器システム。
【請求項１８】
前記オーディオ増幅器のそれぞれが、反転利得構成で配線されている請求項１０に記載の増幅器システム。
【請求項１９】
前記オーディオ増幅器のそれぞれが、非反転利得構成で配線されている請求項１０に記載の増幅器システム。
【請求項２０】
前記オーディオ増幅器のそれぞれが、差動入力構成で配線されている請求項１０に記載の増幅器システム。
【請求項２１】
前記オーディオ増幅器のそれぞれが、そのラウドスピーカの第１の入力に最大電圧のＶｃｃを供給し、
前記高効率コンバータが、バイアス電圧の実質的にＶｃｃ／２を供給する請求項１０に記載の増幅器システム。
【請求項２２】
電源と、
少なくとも１つの電子音響変換器と、
前記電源に結合され、アナログ音声信号を受け取るために、及び増幅されたオーディオ信号をそれぞれの電子音響変換器の第１の入力に供給するために結合された少なくとも１つのオーディオ増幅器と、
前記電源に結合され、バイアス信号を前記少なくとも１つの電子音響変換器の第２の入力に供給するために結合された高効率コンバータと、
を備える、携帯用電子オーディオ・プレーヤ。
【請求項２３】
オーディオ・コンテンツを含むデータを保存するためのデータ・ストレージ・デバイスと、
前記オーディオ・コンテンツデータをデコードするための、及び前記デコードされたオーディオ・コンテンツデータから前記アナログ音声信号を生成するための前記データ・ストレージ・デバイスに結合されたデータ・デコーディング・ロジックと、
をさらに備える請求項２２に記載の携帯用電子オーディオ・プレーヤ。
【請求項２４】
前記データ・デコーディング・ロジック及び前記オーディオ増幅器のうちの少なくとも一方に結合されたラジオ受信機をさらに備える請求項２２に記載の携帯用電子オーディオ・プレーヤ。
【請求項２５】
前記少なくとも１つの電子音響変換器がステレオ・ヘッドフォンを備え、
前記少なくとも１つのオーディオ増幅器が左右のオーディオ増幅器を備える請求項２２に記載の携帯用電子オーディオ・プレーヤ。
【請求項２６】
オーディオ・コンテンツを含むデータを受け取るための無線受信機と、
前記オーディオ・コンテンツデータをアナログ音声信号に変換するために、前記無線受信機、及び前記左右のオーディオ増幅器に結合された受信機コーデックと、
をさらに備える、請求項２５に記載の携帯用電子オーディオ・プレーヤ。
【発明の詳細な説明】
【関連出願】
【０００１】
本出願は、「Ａｄａｐｔｉｖｅ  Ｂｉａｓｉｎｇ  Ｂａｓｅｄ  ｏｎ  Ｖｏｌｕｍｅ  Ｃｏｎｔｒｏｌ  Ｓｅｔｔｉｎｇ」と題され、２００６年３月２１日に出願された米国特許仮出願第６０／７８４，６３８号の米国特許法第１１９条（ｅ）項の下での利益を主張し、その内容全体を本出願に引用して援用する。
【技術分野】
【０００２】
本発明は、概して、オーディオ増幅器に関し、より詳細には、ステレオ変換器システムにおける共通負荷端子バイアス（標準ジャックが両方のスピーカ共通域を一緒につないでいるヘッドフォン増幅器に共通の構成）を駆動するための装置における電力効率の改善に関する。
【背景技術】
【０００３】
オーディオ・ラウドスピーカは、通常、＋端子や−端子と呼ばれる（共通端子又は接地端子とも呼ばれる）一対の電気入力端子を含む。ラウドスピーカは、端子に結合される増幅器からのゼロ平均の交流音声信号により駆動される。長時間にわたってＤＣオフセットを有することのないようにするためには、＋端子には正である電圧が、次いで、−端子に関しては負である電圧が、交互に与えられる。いくつかのシステムでは、−端子は、０ｖの接地電位において保持され、＋端子は、例えば、最大値＋５ｖと最小値−５ｖの間を変動する信号を送られる。他のシステムでは、＋信号は、例えば、最大値＋１０ｖと最小値０ｖの間を変動し、−信号は、５ｖにおいて保持される。あるいは、より正確には、−端子は、Ｖｃｃ／２において保持され、この場合、Ｖｃｃは、＋端子に印加されることが可能になる最大電圧である。いずれにしても、−端子が保持される電圧は、「バイアス電圧」と呼ばれる。
【０００４】
ヘッドフォンを有するほとんどの携帯用音楽システムでは、左右のラウドスピーカ（例えば、ヘッドフォン又はイヤー・バッド）の−端子が共通ノードにおいて一緒に結合され、＋端子と−端子は、Ｖｃｃ／２の電圧を下げるために、それらと直列の非常に大型の交流結合コンデンサを有する。その場合、−端子は、０Ｖにつながれる。これらの結合コンデンサは非常に大型であり、高価であり、そのどちらも望ましくない特徴である。使用されてきた代替策は、共通−端子を一緒につなぎ、Ｖｃｃ／２又は他のバイアス電圧をこの共通ノードに印加することである。いずれの構成においても、その場合、左右のラウドスピーカの＋入力は、それぞれ左右の音声信号により駆動される。
【０００５】
様々な回路スキームが共通バイアス電圧を生成するために使用されてきた。
【０００６】
図１は、非常に単純な共通バイアス電圧スキームを使用するオーディオ・システム１０を示している。オーディオ・システムは、左ラウドスピーカＳＬと、右ラウドスピーカＳＲとを含む。オーディオ・システムは、左スピーカを駆動する左増幅器ＡＬと、右増幅器を駆動する右増幅器ＡＲとを含む。ラウドスピーカの−端子は、共通ノードにおいて一緒に結合され、適切な大きさのコンデンサＣ１が共通ノードと接地の間に結合されている。
【０００７】
このシステムは、電力効率は良いが、残念ながら、大型の高価なコンデンサが必要である。コンデンサは、スピーカ端子の両端間に残された残留信号に関する高域フィルタであり、コンデンサが小さ過ぎる場合には、可聴低周波数を遮断し、ラウドスピーカに到達するのを妨げてしまう。
【０００８】
図２は、第３の増幅器Ａ３を使用して、バイアス電圧を共通ノードに供給するオーディオ・システム２０を示している。第３の増幅器の＋入力は、Ｖｃｃと接地の間に直列に結合された整合抵抗器Ｒ１とＲ２を含む電圧分割器につながれ、コンデンサＣ２は、電圧分割器からノイズを除去するために、電圧分割器から接地に結合されている。第３の増幅器は、示されているように、負のフィードバックの形で結合されている。
【０００９】
このシステムには、図１の大型のコンデンサではなく、小型の（及び任意選択の）コンデンサが必要なだけである。残念ながら、電圧分割器と第３の増幅器は、大量の電力を消費し、システムの増幅器部分の電力効率全体を著しく低減する。
【００１０】
図３は、クラスＧの増幅器を使用する類似のオーディオ・システム３０を示している。単一の対の電力レール（Ｖｃｃ及び接地）がそれらに設けられることだけを意味する単一のサプライであるクラスＡ、Ｂ、ＡＢの増幅器と異なり、クラスＧの増幅器は、入力信号の瞬時電圧レベルに応じて、それらがその間で切り替わる２つ以上の対の電力レールを有する。設計者は、システムの増幅器部分において浪費される電力を最小限に抑えるために、クラスＧの増幅器を使用することを選択することが可能である。
【００１１】
示されるように、クラスＧの増幅器ＡＧを使用して、バイアス電圧を共通ノードに供給することが可能である。これは、左右の電力増幅器がクラスＧであるかどうかには無関係である。第３の増幅器の出力はＶｃｃ／２において非常に安定しており、通常、第３の増幅器は、選択されたその中心に最も近い電圧レールの対により動作していることになり、その電力消費を最小限に抑える。
【００１２】
残念ながら、その電力消費は、安定したＶｃｃ／２出力でさえも、なお大きくなる。
【００１３】
求められているものは、バイアス電圧をラウドスピーカの共通ノードに供給するためのさらにより低い電力回路を使用する改良された増幅器部分である。
【００１４】
図４は、アナログ及び電力半導体設計において知られている高効率チャージ・ポンプ回路４０を示している。チャージ・ポンプは、フライング・コンデンサＣＦとスイッチング・デバイスの周囲に形成される。スイッチング・デバイスは、Ｖｃｃに結合され、第１のスイッチ入力信号ＰＨＩ１によって制御される第１のスイッチＳ１と、第１のスイッチ入力信号によって制御される第２のスイッチＳ２と、第２のスイッチ入力信号ＰＨＩ２によって制御される第３のスイッチＳ３と、接地に結合され、第２のスイッチ入力信号によって制御される第４のスイッチＳ４とを有する。第２と第３のスイッチの入力は、出力ノード５０Ｐに結合されている。第２のコンデンサＣ５０Ｐが、出力ノードと接地の間に結合されている。第１と第２のスイッチ制御信号が正確に（通常、２値クロック信号がノンオーバラップ型クロックと１８０°位相がずれるように）動作した場合、Ｖｃｃ／２は、出力ノードにおいて生成される。
【００１５】
チャージ・ポンプは、高効率変換器の一例である。別の例は、電力半導体設計の当技術分野で非常によく知られているバック・コンバータなどの誘導スイッチング・サプライである。
【発明を実施するための最良の形態】
【００１６】
本発明は、下記の詳細な説明より、及び本発明の実施形態の添付の図面より、より完全に理解されるが、説明される特定の実施形態に本発明を限定するように解釈されるべきではなく、ただ説明するため、及び理解するためのものに過ぎない。
【００１７】
図５は、本発明の一実施形態によるオーディオ・システム５０を示している。オーディオ・システムは、左増幅器ＡＬによって駆動される左ラウドスピーカＳＬと、右増幅器ＡＲによって駆動される右ラウドスピーカＳＲとを含む。ラウドスピーカの−端子は、共通ノードにおいて一緒に結合されている。高効率コンバータがバイアス電圧をこの共通ノードに供給するために結合されている。一実施形態では、高効率コンバータは、チャージ・ポンプである。別の実施形態では、それは、バック・コンバータなどの誘導コンバータである。
【００１８】
高効率コンバータは、典型的には、９０％を上回る電力効率、場合によっては、９５％を超えることが可能である電力効率を有する。高価なコンデンサ又は電力不足の第３の増幅器ではなく、高効率コンバータを使用することによって、システムのＢＯＭ費用及び／又は電力効率全体が著しく改善され、システムの全体的な費用及び／又は電力消費が著しく抑えられる。
【００１９】
さらには、単一の高効率コンバータを使用して、バイアス電圧を２つ、３つ、４つ以上のオーディオ・チャンネルのそれぞれに供給することが可能であり、すでにわずかな高効率コンバータの電力費がさらに償却される。
【００２０】
図６は、バイアス電圧を増幅器や負荷に供給するとともにフィードバック・ネットワークを含む負荷チャンネルに供給するために結合された高効率コンバータを含む電子システム６０を示している。一実施形態では、負荷はラウドスピーカである。フィードバック・ネットワークは、高効率コンバータの有限出力インピーダンス、非直線性、ノイズから生じる負荷全体のエラーを抑える。
【００２１】
図７は、バイアス電圧を２つの負荷チャンネルに供給するために結合された高効率コンバータを含むオーディオ・システム７０を示し、各チャンネルは、ラウドスピーカ、差動増幅器、フィードバック・ネットワークを含む。２組のフィードバック抵抗器が各チャンネル内で使用される。反転（−）入力に結合された抵抗器は、増幅器のフォワード利得を設定し、非反転（＋）入力に結合された抵抗器は、ラウドスピーカ全体に生じる修正の量を制御する。
【００２２】
例えば、高効率コンバータの出力上の電圧は、分割比Ｒ３／（Ｒ３＋Ｒ４）で、オペアンプＡＬの＋端子に示される。オペアンプＡＬのこのノードから出力への利得は、１＋（Ｒ４／Ｒ３）である。したがって、高効率コンバータの出力からオペアンプＡＬの出力へのネット利得は、（Ｒ３／（Ｒ３＋Ｒ４））*（１＋Ｒ４／Ｒ３）であり、それは、１に等しい。これは、高効率コンバータの出力上のいずれの望ましくない信号が、単位利得でＡＬの出力上に示されることを意味している。したがって、スピーカＳＬ全体の差動電圧は、１−１＝０であり、それは、高効率コンバータの出力上の望ましくないアーチファクト（例えば、クロストーク、ノイズ、歪など）が除去されることを意味する。同様に、Ｒ５及びＲ６と関連するフィードバックにより、アーチファクトはオペアンプＡＲによってスピーカＳＲ全体で除去される。この成果を達成するには正のフィードバックを使用し、また、安定性の懸念について論じる必要があることに留意されたい。ＡＬの出力に現れる電圧は、高効率コンバータの出力で減衰し、それは、ネット・ループ利得が１に比べて少ないことを意味する。最終的には、これは、ループが安定していることを意味する。
【００２３】
オーディオ源から、左増幅器は、左オーディオ・チャンネル音声信号ＶINLを送られ、右増幅器は、右オーディオ・チャンネル音声信号ＶINRを送られる。増幅器の非反転入力は、示されている抵抗器を通じて、Ｖｄｄ／２又はそのような他の低ノイズ基準電圧であるＶREF信号と結合されている。
【００２４】
図８は、図７のシステムと類似した別のオーディオ・システム８０を示しているが、可変の利得能力とするために、増幅器の反転入力側で可変抵抗器を使用している。同様に、非反転側で可変抵抗器を使用することによって、可変エラー修正フィードバックが、すべての利得設定においてラウドスピーカ全体のエラーを抑えるために行われる。これは、最終の増幅器ステージが、ボリューム制御、又はプログラム可能なもしくは調整可能な利得レベルと統合されることが多いので、重要である。
【００２５】
反転利得構成は、Ｖ1L及びＶ1Rが音声信号入力として使用され、Ｖ2L及びＶ2Rが基準として使用される場合に達成される。非反転利得構成は、Ｖ2L及びＶ2Rが音声信号入力として使用され、Ｖ1L及びＶ1Rが基準として使用される場合に達成される。また、差動入力構成は、Ｖ2L及びＶ2Rが正の入力として使用され、Ｖ1L及びＶ1Rが負の入力として使用される場合に達成される。図７の回路もまた、共通ＶREF入力ノードを有するのではなく、このようにして配線可能になる。
【００２６】
図９は、増幅器が単位利得バッファとして構成されており、両方のチャンネルに対してバイアス電圧を生成する高効率コンバータを有するオーディオ・システム９０を示している。
【００２７】
図１０は、増幅器が正の利得構成で配線されており、各チャンネルごとに個別の高効率コンバータを有するオーディオ・システム１００を示している。オーディオ・チャンネルのすべてが単一の共通高効率コンバータを共有しないことが望ましい用途がある場合がある。例えば、５.１又は７.１チャンネルのホーム・シアタ・システムでは、場合によっては、ＬＣＲチャンネルが１つの高効率コンバータによって供給される第１の共通バイアスを有し、サラウンド・チャンネルが別の高効率コンバータによって供給される第２の共通バイアスを有し、サブウーファ・チャンネルがさらなる別の高効率コンバータによって供給される第３のバイアスを有することが望ましい場合もある。
【００２８】
図１１は、本発明の電子装置により構成されている携帯用オーディオ・デバイスを示している。携帯用オーディオ・デバイスは、左電子音響変換器ＳＬと右電子音響変換器ＳＲを含む従来の一対のステレオ・ヘッドフォンで使用するように構成されている。変換器は、電磁気、静電気、圧電、又は他の適切なタイプであってよい。
【００２９】
携帯用オーディオ・デバイスは、任意のいずれかの方法で、任意の様々なオーディオ及び／又はオーディオ／ビデオ・コンテンツがエンコードされているデータを保存するためのフラッシュ・メモリなどのデータ・ストレージを含む。携帯用オーディオ・デバイスは、ハードウェア及び／又はソフトウェアにおいて実行されるかどうかにかかわらず、そのコンテンツをデコードするためのデータ・デコーディング・ロジックを含み、ロジックは、デコードされたコンテンツをアナログ音声信号に変換するための適切なデジタルからアナログへの変換回路を含む。携帯用オーディオ・デバイスは、上述した高効率コンバータを含み、１つ又は複数のオーディオ増幅器が、データ・デコーディング・ロジックからそれぞれのオーディオ・チャンネル信号を受け取るために結合され、示されている例では、これらは、左オーディオ増幅器と右オーディオ増幅器を含むが、他の実装には単一、４、５.１、７.１又は他のチャンネル構成が含まれることが可能である。
【００３０】
携帯用オーディオ・デバイスは、メニュを操作し、ボリュームなどを制御するためのボタンやダイヤルなどの１つ又は複数のユーザ入力デバイスと、携帯用オーディオ・デバイスの動作を管理するための制御ロジックとを含む。また、ビデオ出力デバイス、ＦＭ、ＡＭ及び／又は衛星ラジオ信号のためのラジオ受信機、さらに外部ソースからオーディオ・コンテンツを受け取るためのオーディオ入力を任意選択で含むことも可能である。
【００３１】
携帯用オーディオ・デバイスは、オーディオ増幅器がそれらのオーディオ信号を加え、高効率コンバータがそのバイアス電圧を加えるメス・ジャックを含む。メス・ジャックは、適切な長さのケーブルを介して、これらの信号をそれらの適切な変換器入力に結合するために、ヘッドフォンのオス・ジャックと合わせられる。
【００３２】
携帯用オーディオ・デバイスは、電池、燃料電池、又はその他の電源を含む。電源が、オーディオ増幅器、高効率コンバータ、データ・ストレージ・デバイス、データ・デコーディング・ロジック、ラジオ受信機などのための修正電力レールを生成することができない場合には、そのオーディオ・デバイスはまた、様々なデバイスによって必要とされる適切な電力レールを生成するために、電池の出力を上げ、かつ／又は下げる電圧調整器も含むことも可能である。
【００３３】
一実施形態では、ヘッドフォンは、携帯用オーディオ・デバイスとは別に販売可能である取り外し可能な構成要素である。別の実施形態では、ヘッドフォンは、携帯用オーディオ・デバイスに永久に結合される。さらなる別の実施形態では、携帯用オーディオ・デバイスは、個別に収納されるデバイス内にあるのではなく、ヘッドフォン自体の中に組み込まれる。
【００３４】
図１２は、本発明がヘッドフォン・デバイスの中に組み込まれている別の実施形態を示しているが、ヘッドフォン・デバイスは、完全なシステムではない。そうではなく、ヘッドフォン・デバイスは、ブルートゥース信号、ＦＭ変調信号、赤外線信号、ＷｉＦｉ信号、移動体信号、又はその他の任意の適切な無線信号を介して、オーディオ・データを受け取るための無線受信機と、受け取られたデータをデコードするための適切な受信機コーデックとを含む。無線ヘッドフォン・デバイスは、電池などのそれ自体の電源、それ自体の制御ロジック、それ自体のユーザ入力デバイスなどを含む。
【００３５】
無線データは、任意の適切なソースから受け取られる。示されている例では、それは、ユーザによって、又はユーザの近くで運ばれる携帯用オーディオ・デバイスから受け取られる。別の実施形態では、無線データは、多数の無線ヘッドフォン・デバイスに送信するソースによって伝送可能になる。
【００３６】
オーディオ増幅器と高効率コンバータは、無線ヘッドフォン・デバイスの一部である。オーディオ増幅器は、示されるように、適切なデジタルからアナログへの変換後に、受信機コーデックからそれらの入力信号を受け取る。オーディオ増幅器は、例えば、クラスＤの増幅器であってよい。
【００３７】
（結論）
１つの構成要素が隣接した別の構成要素であると言われる場合、２つの構成要素間には完全に何もなく、ただそれらが示された順番であることを意味すると解釈すべきではない。
【００３８】
図面に示される様々な特徴は、多くのやり方で組合せ可能であり、それらが説明され、示されている特定の実施形態に限定するように解釈すべきではない。
【００３９】
様々な図面には、実際に示される特定の数のチャンネルがあるが、本発明は、任意の数のチャンネルで実施可能であり、それぞれのチャンネルは、それら自体の負荷及びそれら自体の増幅器を有する。
【００４０】
本開示の利益を有する当業者は、前述の説明及び図面より多くの他の修正形態が、本発明の範囲内で行われることが可能であることを認識するであろう。実際に、本発明は、上述された詳細に限定されない。そうではなく、添付の特許請求の範囲は、本発明の範囲を定義するいずれの変更をそれに含む。
【図面の簡単な説明】
【００４１】
【図１】単純なコンデンサを使用してバイアス電圧を供給する従来技術による１つのバイアス電圧回路スキームを含むオーディオ・システムを示す図である。
【図２】オペアンプを使用してバイアス電圧を供給する従来技術による別のバイアス電圧回路スキームを含むオーディオ・システムを示す図である。
【図３】クラスＧのオペアンプを使用してバイアス電圧を供給する従来技術によるさらなる別のバイアス電圧回路スキームを含むオーディオ・システムを示す図である。
【図４】従来技術によるチャージ・ポンプを示す図である。
【図５】本発明の一実施形態によるバイアス電圧を供給するための高効率コンバータを含むオーディオ・システムを示す図である。
【図６】本発明の別の実施形態によるバイアス電圧を供給するための高効率コンバータを使用する電子システムを示す図である。
【図７】本発明の別の実施形態による高効率コンバータを含むオーディオ・システムを示す図である。
【図８】本発明の別の実施形態による、可変抵抗器が用いられている高効率コンバータを含むオーディオ・システムを示す図である。
【図９】本発明の別の実施形態による高効率コンバータを含むオーディオ・システムを示す図である。
【図１０】本発明の別の実施形態による、各オーディオ・チャンネルについて個別の高効率コンバータを含むオーディオ・システムを示す図である。
【図１１】本発明の電子装置を組み込んだ携帯用オーディオ・プレーヤを示す図である。
【図１２】本発明の電子装置を組み込んだ別の携帯用オーディオ・プレーヤを示す図である。
【図１】
2009530998.tif 000003
【図２】
2009530998.tif 000004
【図３】
2009530998.tif 000005
【図４】
2009530998.tif 000006
【図５】
2009530998.tif 000007
【図６】
2009530998.tif 000008
【図７】
2009530998.tif 000009
【図８】
2009530998.tif 000010
【図９】
2009530998.tif 000011
【図１０】
2009530998.tif 000012
【図１１】
2009530998.tif 000013
【図１２】
2009530998.tif 000014
【国際調査報告】
2009530998.tif 000015